(57)【要約】      （修正有）【課題】高速移動車両がトンネル内を通過する際、車両内における携帯端末の受信品質の劣化を改善できる移動通信システムを提供する。【解決手段】トンネル内に、基地局に接続された複数の通信用アンテナと、隣り合う通信用アンテナの間にそれぞれ間隔をおいて固有のスクランブルコード情報を送信する位置特定用の複数の補助アンテナとが設置される。携帯端末は、走行車両内にあって通信用アンテナと通信可能であると共に各補助アンテナを通過する度に補助アンテナに固有のスクランブルコード情報を受信する。携帯端末は、通信用アンテナを通過する度に受信される報知情報及び補助アンテナを通過する度に受信されるスクランブルコード情報から、トンネル内での移動速度、ドップラー周波数、次に通過する通信用アンテナの通過タイミングを算出し、算出した通過タイミングで算出したドップラー周波数によるドップラーシフト補正を行う状態監視部を備える。【選択図】図１
2008219541.tif 000002
【特許請求の範囲】
【請求項１】
トンネル内に車両の走行方向に関して複数の通信用アンテナを間隔をおいて設置すると共に隣り合う通信用アンテナの間にそれぞれ間隔をおいて位置特定用の複数の補助アンテナを設置し、
各通信用アンテナからはドップラーシフト補正のために必要な報知情報を、各補助アンテナからは当該補助アンテナ固有のコード情報をそれぞれ送信し、
走行車両内の携帯端末は、前記通信用アンテナを通過する度に得られる報知情報及び前記補助アンテナを通過する度に得られるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行うことを特徴とするドップラーシフト補正方法。
【請求項２】
前記補助アンテナ固有のコード情報として、補助アンテナ毎にあらかじめ割り当てられたスクランブルコード情報を含み、
前記報知情報として、トンネル内の通信用アンテナであることを示すトンネル識別子、すべての補助アンテナについての前記スクランブルコード情報、補助アンテナの設置間隔情報、通信用アンテナの位置情報を含むことを特徴とする請求項１に記載のドップラーシフト補正方法。
【請求項３】
前記トンネル識別子を検出すると前記ドップラーシフト補正を行うためのトンネルモードに移行し、
前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行うことを特徴とする請求項２に記載のドップラーシフト補正方法。
【請求項４】
前記トンネルモードへの移行条件として、前記トンネル識別子の検出に加えて、前記携帯端末にて検出されている有効パス数があらかじめ決められた閾値未満であるかという条件を設定し、前記有効パス数が前記あらかじめ決められた閾値以上であれば前記トンネル識別子が検出されても前記トンネルモードに移行しないようにしたことを特徴とする請求項３に記載のドップラーシフト補正方法。
【請求項５】
前記トンネルモードへの移行条件として、前記トンネル識別子の検出に加えて、前記走行車両の移動速度があらかじめ設定された閾値以上であるかという条件を設定し、前記移動速度が前記あらかじめ設定された閾値未満であれば前記トンネル識別子が検出されても前記トンネルモードに移行しないようにしたことを特徴とする請求項３に記載のドップラーシフト補正方法。
【請求項６】
トンネル内に車両の走行方向に関して間隔をおいて設置され基地局に接続された複数の通信用アンテナと、
隣り合う前記通信用アンテナの間にそれぞれ間隔をおいて設置され、固有のコード情報を送信する位置特定用の複数の補助アンテナと、
前記通信用アンテナと通信可能であると共に前記各補助アンテナを通過する度に当該補助アンテナに固有の前記コード情報を受信する携帯端末とを含み、
前記各通信用アンテナからはドップラーシフト補正のために必要な報知情報を送信し、
前記携帯端末は、前記走行車両内にあって前記トンネル内を走行中に、前記通信用アンテナを通過する度に受信される報知情報及び前記補助アンテナを通過する度に受信されるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行う監視手段を備えることを特徴とする移動通信システム。
【請求項７】
前記補助アンテナ固有のコード情報として、補助アンテナ毎にあらかじめ割り当てられたスクランブルコード情報を含み、
前記報知情報として、トンネル内の通信用アンテナであることを示すトンネル識別子、すべての補助アンテナについての前記スクランブルコード情報、補助アンテナの設置間隔情報、通信用アンテナの位置情報を含むことを特徴とする請求項６に記載の移動通信システム。
【請求項８】
前記監視手段は、前記トンネル識別子を検出すると前記ドップラーシフト補正を行うためのトンネルモードに移行し、
前記監視手段はまた、前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行うことを特徴とする請求項７に記載の移動通信システム。
【請求項９】
前記携帯端末はWCDMA携帯端末であり、
前記監視手段は、前記トンネルモードへの移行の判定動作として、前記トンネル識別子の検出に加えて、当該携帯端末にて検出されている有効パス数があらかじめ決められた閾値未満であるかの判定を行い、前記有効パス数が前記あらかじめ決められた閾値以上であれば前記トンネル識別子が検出されても前記トンネルモードに移行しないようにしたことを特徴とする請求項８に記載の移動通信システム。
【請求項１０】
前記監視手段は、前記トンネルモードへの移行の判定動作として、前記トンネル識別子の検出に加えて、前記走行車両の移動速度があらかじめ設定された閾値以上であるかの判定を行い、前記移動速度が前記あらかじめ設定された閾値未満であれば前記トンネル識別子が検出されても前記トンネルモードに移行しないようにしたことを特徴とする請求項８に記載の移動通信システム。
【請求項１１】
トンネル内に車両の走行方向に関して間隔をおいて設置され基地局に接続された複数の通信用アンテナと、隣り合う前記通信用アンテナの間にそれぞれ間隔をおいて設置され、固有のコード情報を送信する位置特定用の複数の補助アンテナとを含む移動通信システムであって、前記各通信用アンテナからはドップラーシフト補正のために必要な報知情報が送信される移動通信システムに適用可能な携帯端末であって、
該携帯端末は、前記走行車両内にあって前記トンネル内を走行中に、前記通信用アンテナと通信可能であると共に前記各補助アンテナを通過する度に当該補助アンテナに固有の前記コード情報を受信し、
前記携帯端末は、前記通信用アンテナを通過する度に受信される報知情報及び前記補助アンテナを通過する度に受信されるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行う監視手段を備えることを特徴とする携帯端末。
【請求項１２】
前記各補助アンテナからは、前記補助アンテナ固有のコード情報として、補助アンテナ毎にあらかじめ割り当てられたスクランブルコード情報が送信され、
前記各通信用アンテナからは、前記報知情報として、トンネル内の通信用アンテナであることを示すトンネル識別子、すべての補助アンテナについての前記スクランブルコード情報、補助アンテナの設置間隔情報、通信用アンテナの位置情報を含む情報が送信されることを特徴とする請求項１１に記載の携帯端末。
【請求項１３】
前記監視手段は、前記トンネル識別子を検出すると前記ドップラーシフト補正を行うためのトンネルモードに移行し、
前記監視手段はまた、前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行うことを特徴とする請求項１２に記載の携帯端末。
【請求項１４】
当該携帯端末はWCDMA携帯端末であり、
前記監視手段は、前記トンネルモードへの移行の判定動作として、前記トンネル識別子の検出に加えて、当該携帯端末にて検出されている有効パス数があらかじめ決められた閾値未満であるかの判定を行い、前記有効パス数が前記あらかじめ決められた閾値以上であれば前記トンネル識別子が検出されても前記トンネルモードに移行しないようにしたことを特徴とする請求項１３に記載の携帯端末。
【請求項１５】
前記監視手段は、前記トンネルモードへの移行の判定動作として、前記トンネル識別子の検出に加えて、前記走行車両の移動速度があらかじめ設定された閾値以上であるかの判定を行い、前記移動速度が前記あらかじめ設定された閾値未満であれば前記トンネル識別子が検出されても前記トンネルモードに移行しないようにしたことを特徴とする請求項１３に記載の携帯端末。
【発明の詳細な説明】
【技術分野】
【０００１】
本発明は、携帯端末を持つユーザが新幹線などの車両でトンネル内を高速走行した場合にトンネル内のアンテナ直下で発生する周波数誤差のタイミング及び誤差量を予測し補正するためのドップラーシフト補正方法及びその機能を有する移動通信システムに関する。
【背景技術】
【０００２】
従来のWCDMA（Wideband Code Division Multiple Access）携帯端末では、対象となる基地局の周波数と携帯端末の周波数を一致させるためにAFC（Auto Frequency Control：自動周波数制御）方式が用いられている。具体的には、使用する無線周波数を維持するために基地局から送信されるシンボルパターンの周波数誤差から位相回転量を求め、それを基に発振器であるTCXO（Temperature Compensated Crystal Oscillator：携帯端末の基準周波数を発振する電圧制御型発振器）の周波数を補正、調整するという機能である。なお、シンボルパターンは、主に共通チャネルであるCPICH（Common Pilot Channel）のパイロットシンボルが使用される。
【０００３】
AFC方式を用いている携帯端末ではシンボルの誤差を監視することで周波数誤差を修正しているが、シンボルパターンはフェージング変動やレベル劣化により少なからず周波数誤差が生じている状況である。そのため誤差検出のための時間（更新周期）や誤差判定の閾値は、瞬時変動やごく微弱な変動に追随し過ぎないようにある程度大きな値を設定しておく必要がある。
【０００４】
AFC方式を用いている携帯端末では基地局と携帯端末との間の周波数誤差を±コンマ数ppm以内に追い込むことが可能である。
【０００５】
また移動状態で電波を受信する場合、一般に受信波にはドップラー周波数分のずれが生じることになるが、携帯端末が基地局直下を通過した場合、基地局アンテナの通過タイミングを境にドップラー周波数が正負方向に逆転する現象が発生する。
【０００６】
トンネル内のような環境では上述のような基地局アンテナ直下を携帯端末が通過するシーンがあり、新幹線などの高速走行状態でアンテナ直下を通過した場合、ドップラー周波数切り替わりによる大きな周波数誤差（変動）が瞬時に発生することになる。
【０００７】
従来のAFCは発生した周波数誤差を補正する機能であるため、瞬間的に大きな周波数誤差が発生した場合、周波数補正での追従に時間を要することになる。このため周波数誤差が補正されるまでの区間は周波数がずれた状態での受信となるため受信電界（品質）が著しく劣化することになり、最悪の場合通信切断に至る。
【０００８】
現状の新幹線トンネル環境においては、携帯端末はトンネル内に設置されているアンテナの位置を把握できない、または通過タイミングを予測できない。このため周波数誤差の発生を検出してから補正する従来のAFC動作においては周波数誤差を補正しきれずに受信電界が劣化するという課題がある。
【０００９】
ドップラー周波数切り替わりによる影響を解消する手法として、例えば特許文献１には、送信側でドップラーシフト分を補正する移動体通信システムが開示されている。具体的には、ＧＰＳ衛星を利用して、移動局の移動速度や緯度、経度を測定し、あらかじめ位置測定しておいた基地局との方向を割り出してドップラーシフト分を計算し、この計算結果により送信機のローカル周波数を微調整することにより、基地局への送信波のドップラーシフト分を補正するようにしている。また、特許文献２には、移動端末が無線基地局に接近する側のセクタαと、無線基地局から遠ざかる側のセクタβとを区分し、各セクタ毎に通信周波数をオフセットしてドップラー周波数を打ち消させるようにした移動通信方法が開示されている。
【００１０】
【特許文献１】特開２００１−１１９３３３号公報
【特許文献２】特開２００１−３０８７７３号公報
【発明の開示】
【発明が解決しようとする課題】
【００１１】
本発明の課題は、新幹線のような高速移動車両がトンネル内を通過する際、車両内における携帯端末の受信品質の劣化を改善するための方法及び移動通信システムを提供することにある。
【００１２】
本発明の他の課題は、上記の移動通信システムに適した携帯端末を提供することにある。
【課題を解決するための手段】
【００１３】
本発明によれば、トンネル内に車両の走行方向に関して複数の通信用アンテナを間隔をおいて設置すると共に隣り合う通信用アンテナの間にそれぞれ間隔をおいて位置特定用の複数の補助アンテナを設置し、各通信用アンテナからはドップラーシフト補正のために必要な報知情報を、各補助アンテナからは当該補助アンテナ固有のコード情報をそれぞれ送信し、走行車両内の携帯端末は、前記通信用アンテナを通過する度に得られる報知情報及び前記補助アンテナを通過する度に得られるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行うことを特徴とするドップラーシフト補正方法が提供される。
【００１４】
本ドップラーシフト補正方法においては、前記補助アンテナ固有のコード情報として、補助アンテナ毎にあらかじめ割り当てられたスクランブルコード情報を含み、前記報知情報として、トンネル内の通信用アンテナであることを示すトンネル識別子、すべての補助アンテナについての前記スクランブルコード情報、補助アンテナの設置間隔情報、通信用アンテナの位置情報を含む。
【００１５】
本ドップラーシフト補正方法においてはまた、前記トンネル識別子を検出すると前記ドップラーシフト補正を行うためのトンネルモードに移行し、前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行う。
【００１６】
本ドップラーシフト補正方法においては、前記トンネルモードへの移行条件として、前記トンネル識別子の検出に加えて、前記携帯端末にて検出されている有効パス数があらかじめ決められた閾値未満であるかという条件を設定し、前記有効パス数が前記あらかじめ決められた閾値以上であれば前記トンネル識別子が検出されても前記トンネルモードに移行しないようにしても良い。
【００１７】
本ドップラーシフト補正方法においてはまた、前記トンネルモードへの移行条件として、前記トンネル識別子の検出に加えて、前記走行車両の移動速度があらかじめ設定された閾値以上であるかという条件を設定し、前記移動速度が前記あらかじめ設定された閾値未満であれば前記トンネル識別子が検出されても前記トンネルモードに移行しないようにしても良い。
【００１８】
本発明によればまた、トンネル内に車両の走行方向に関して間隔をおいて設置され基地局に接続された複数の通信用アンテナと、隣り合う前記通信用アンテナの間にそれぞれ間隔をおいて設置され、固有のコード情報を送信する位置特定用の複数の補助アンテナと、前記通信用アンテナと通信可能であると共に前記各補助アンテナを通過する度に当該補助アンテナに固有の前記コード情報を受信する携帯端末とを含み、前記各通信用アンテナからはドップラーシフト補正のために必要な報知情報を送信し、前記携帯端末は、前記走行車両内にあって前記トンネル内を走行中に、前記通信用アンテナを通過する度に受信される報知情報及び前記補助アンテナを通過する度に受信されるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行う監視手段を備えることを特徴とする移動通信システムが提供される。
【００１９】
本移動通信システムにおいては、前記補助アンテナ固有のコード情報として、補助アンテナ毎にあらかじめ割り当てられたスクランブルコード情報を含み、前記報知情報として、トンネル内の通信用アンテナであることを示すトンネル識別子、すべての補助アンテナについての前記スクランブルコード情報、補助アンテナの設置間隔情報、通信用アンテナの位置情報を含む。
【００２０】
本移動通信システムにおいてはまた、前記監視手段は、前記トンネル識別子を検出すると前記ドップラーシフト補正を行うためのトンネルモードに移行し、前記監視手段はまた、前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行う。
【００２１】
本移動通信システムにおいては、前記携帯端末がWCDMA携帯端末である場合、前記監視手段は、前記トンネルモードへの移行の判定動作として、前記トンネル識別子の検出に加えて、当該携帯端末にて検出されている有効パス数があらかじめ決められた閾値未満であるかの判定を行い、前記有効パス数が前記あらかじめ決められた閾値以上であれば前記トンネル識別子が検出されても前記トンネルモードに移行しないようにしても良い。
【００２２】
本移動通信システムにおいてはまた、前記監視手段は、前記トンネルモードへの移行の判定動作として、前記トンネル識別子の検出に加えて、前記走行車両の移動速度があらかじめ設定された閾値以上であるかの判定を行い、前記移動速度が前記あらかじめ設定された閾値未満であれば前記トンネル識別子が検出されても前記トンネルモードに移行しないようにしても良い。
【００２３】
本発明によれば更に、トンネル内に車両の走行方向に関して間隔をおいて設置され基地局に接続された複数の通信用アンテナと、隣り合う前記通信用アンテナの間にそれぞれ間隔をおいて設置され、固有のコード情報を送信する位置特定用の複数の補助アンテナとを含む移動通信システムであって、前記各通信用アンテナからはドップラーシフト補正のために必要な報知情報が送信される移動通信システムに適用可能な携帯端末であって、該携帯端末は、前記走行車両内にあって前記トンネル内を走行中に、前記通信用アンテナと通信可能であると共に前記各補助アンテナを通過する度に当該補助アンテナに固有の前記コード情報を受信し、前記携帯端末は、前記通信用アンテナを通過する度に受信される報知情報及び前記補助アンテナを通過する度に受信されるコード情報から、少なくともトンネル内での移動速度、ドップラー周波数、次に通過する前記通信用アンテナの通過タイミングを算出し、算出した通過タイミングで算出した前記ドップラー周波数によるドップラーシフト補正を行う監視手段を備えることを特徴とする携帯端末が提供される。
【００２４】
本携帯端末においては、前記各補助アンテナからは、前記補助アンテナ固有のコード情報として、補助アンテナ毎にあらかじめ割り当てられたスクランブルコード情報が送信され、前記各通信用アンテナからは、前記報知情報として、トンネル内の通信用アンテナであることを示すトンネル識別子、すべての補助アンテナについての前記スクランブルコード情報、補助アンテナの設置間隔情報、通信用アンテナの位置情報を含む情報が送信される。
【００２５】
本携帯端末においてはまた、前記監視手段は、前記トンネル識別子を検出すると前記ドップラーシフト補正を行うためのトンネルモードに移行し、前記監視手段はまた、前記トンネルモードでは、隣り合う補助アンテナに関して検出した前記スクランブルコード情報の検出タイミングと前記設置間隔情報から前記走行車両の移動速度を算出すると共に、前記ドップラー周波数を算出し、更に算出した移動速度と前記通信用アンテナの位置情報から次に通過する通信用アンテナの通過タイミングを算出し、算出した通過タイミングで前記ドップラーシフト補正を行う。
【００２６】
本携帯端末においては、当該携帯端末がWCDMA携帯端末である場合、前記監視手段は、前記トンネルモードへの移行の判定動作として、前記トンネル識別子の検出に加えて、当該携帯端末にて検出されている有効パス数があらかじめ決められた閾値未満であるかの判定を行い、前記有効パス数が前記あらかじめ決められた閾値以上であれば前記トンネル識別子が検出されても前記トンネルモードに移行しないようにしても良い。
【００２７】
本携帯端末においてはまた、前記監視手段は、前記トンネルモードへの移行の判定動作として、前記トンネル識別子の検出に加えて、前記走行車両の移動速度があらかじめ設定された閾値以上であるかの判定を行い、前記移動速度が前記あらかじめ設定された閾値未満であれば前記トンネル識別子が検出されても前記トンネルモードに移行しないようにしても良い。
【００２８】
本発明においては、トンネル内に、通信用アンテナに加えて通過タイミング把握のための補助アンテナを設置することにより、走行車両内の携帯端末はその電波を受信して通信用アンテナのアンテナ通過タイミングを予測し、アンテナ通過のタイミングでドップラー周波数分の周波数補正を一気に行う。これにより従来の携帯端末で発生していた新幹線トンネル内でのアンテナ通過時の受信品質劣化を改善することが可能となる。
【発明の効果】
【００２９】
本発明によれば、高速走行状態にて通信用アンテナ直下を通過する際のドップラー周波数の正負反転により発生する周波数変動に対して、携帯端末側で予め現象発生（アンテナ通過）のタイミングと現象発生時の周波数変動量（ドップラー周波数）を推定することが可能であり、アンテナ通過のタイミングで一気に周波数補正（ドップラーシフト補正）を実施することで可能である。これにより従来のAFC制御で発生していた周波数補正の追従区間（時間）での受信電界（受信品質）の劣化を回避することが可能となる。
【発明を実施するための最良の形態】
【００３０】
以下に、本発明による移動通信システム及びこれにより実現されるドップラー周波数補正方法の実施形態について図面を参照して説明する。
【００３１】
図１は、本発明を実施するために、新幹線のような高速移動車両のトンネル内に設置されるアンテナの設置形態を示す。トンネル内には車両の進行方向に等間隔をおいて複数の通信用アンテナ１１、１２（便宜上、２個のみ図示）が設置されている。車両がトンネル内を走行中、車両内の携帯端末３はこれらの通信用アンテナ１１、１２を介してネットワークとの通信を行う。トンネル内のこれらの通信用アンテナ１１、１２は、一般的に１つの基地局から張り出したサブアンテナ的な位置付けであり、各通信用アンテナ１１、１２からは同じスクランブルコード（基地局を特定するコード）にてデータが送信されている。また通信用アンテナ１１、１２はトンネル内通信用のアンテナであるため、図１に示されるように、ある程度の範囲をカバーできるチルト角を持っている。勿論、隣り合う通信用アンテナの範囲は重なる部分ができるようにされる。
【００３２】
本発明ではトンネル内に、通信用アンテナ１１、１２以外に位置特定のために使われるアンテナとして複数の補助アンテナ（便宜上、３個の補助アンテナのみ参照番号２１、２２、２３を付す）が車両の進行方向に等間隔をおいて設置されている。これらの補助アンテナは位置特定用のアンテナであるため、間隔は通信用アンテナの間隔よりも短く、電波が送信される角度（範囲）も通信用アンテナに比べて非常に狭い。また補助アンテナから送信されるチャネルもCPICHのみで構成されており、DPCH（Dedicated Physical Channel）等のデータチャネルは送信されない。各補助アンテナは、通信用アンテナと同様、基地局に接続されても良いが、送信するスクランブルコード情報は固定であるため、基地局とは別の送信源から送られるスクランブルコード情報を送信するものであっても良い。
【００３３】
補助アンテナには予め決められたスクランブルコードが割り当てられており、携帯端末３側は捕捉した補助アンテナのスクランブルコードにより現在の位置を特定することができる。補助アンテナのスクランブルコードの割り当ては、例えばトンネル入り口から補助アンテナ設置の順番でスクランブルコードが１つずつインクリメントされるように割り当てるなどである。つまり、図１を例とすると、補助アンテナ２１：srcd １E１0、２２：srcd １E２0、２３：srcd １E３0、・・・などで、Srcdはスクランブルコードである。
【００３４】
トンネル内で送信される通信用アンテナ１１、１２の基地局の報知情報には、自身（基地局）がトンネル内基地局であるかどうかを示すトンネル識別子、補助アンテナの割り当てスクランブルコード情報、補助アンテナの設置間隔情報、通信用アンテナの位置情報などが付加されている。
【００３５】
本発明で使用される携帯端末３の構成例を図２に示す。
【００３６】
TCXO３４は移動通信装置の基準周波数を発振する電圧制御型発振器である。無線部３１はTCXO３４より出力される基準周波数に対応した基準信号より内部のPLL（フェイズロックドループ）回路を用いて局所発振周波数を生成し、基地局から送信されてくる電波（伝送波）をベースバンド信号に変換する。デジタル信号処理部３２は無線部３１からのベースバンド信号に対しデジタル信号処理を行い信号を復調することで通信データを取得する。デジタル信号処理部３２はまた、復調したシンボルデータと基地局から送信されるべきシンボルデータ（既知）とを比較することにより基地局と自身（携帯端末）との周波数誤差を検知可能である。デジタル信号処理部３２は検知した周波数誤差情報をAFC部３３に送信する。AFC部３３はデジタル信号処理部３２からの周波数誤差情報によりTCXO制御信号を生成しTCXO３４を制御する。TCXO３４ではAFC部３３からのTCXO制御信号により再度基準周波数が決定される。
【００３７】
以上が一般的なAFC制御を実現するための構成であり、このAFC制御を用いることによって携帯端末の基準周波数を基地局の基準周波数に一致させることが可能となる。
【００３８】
本発明による携帯端末３は、通信のための周知の送受信機能を実現するための構成（図示省略）及び上記のAFC制御のための構成に、さらに状態監視部３５を備える。状態監視部３５は、特にトンネル内を高速走行中の車両内にある携帯端末３が通信を行う際に機能する。
【００３９】
デジタル信号処理部３２は、データ復調により新しいセル（スクランブルコード）を検出した場合やセル移行により報知情報［BCCH(Broadcast Control Channel)データ］を受信した場合に状態監視部３５にそれらの情報を送信する。状態監視部３５では、デジタル信号処理部３２から送られてくる各種データ（セル検出データ、報知情報）よりトンネル内の状態を判断し、トンネル内の通信用アンテナ通過のタイミングでドップラー周波数分に対応したAFC制御を行うようAFC部３３に周波数誤差情報を送信する。
【００４０】
AFC部３３では状態監視部３５からのドップラー周波数分に対応した周波数誤差情報よりTCXO制御信号を生成しTCXO３４を制御する。状態監視部３５からの周波数誤差情報は、デジタル信号処理部３２からの周波数誤差情報より優先で処理される。
【００４１】
次に、トンネル内走行時のドップラー周波数補正動作を説明する。以下では、携帯端末３を動作主体として説明するが、携帯端末３におけるドップラー周波数補正のための制御動作は、主に状態監視部３５により実行される。携帯端末３は、その全体を制御するＣＰＵ（制御部、図示省略）を有しており、状態監視部３５は制御部の一部機能として実現されても良い。
【００４２】
携帯端末３は、トンネル内突入時にトンネル入り口に設置された最初の通信用アンテナから送信される報知情報を受信し、トンネル識別子を確認する。受信した報知情報のトンネル識別子が”トンネル内”であった場合、携帯端末３は報知情報内の補助アンテナ毎に割り当てられたスクランブルコード情報（補助アンテナ特定）、各補助アンテナの設置間隔情報（補助アンテナ間の距離）、通信用アンテナの位置情報（何番目に位置しているか）などを内部データとして記憶部（図示省略）に格納しトンネルモードに移行する。報知情報のトンネル識別子が”トンネル内”でなければ、トンネルモードに移行しない、もしくはトンネルモードから通常モードに移行する。
【００４３】
携帯端末３がトンネル内を移動する際、各補助アンテナ通過付近で補助アンテナのスクランブルコードが検出される。補助アンテナからはCPICHデータが送信されているため、補助アンテナのスクランブルコードの検出は、通常のセル検出と同様である。携帯端末３は検出されたスクランブルコードと格納している補助アンテナ割り当てのスクランブルコード情報とを比較し、補助アンテナかどうかの判定と、どの位置（何番目）の補助アンテナかの特定を行う。
【００４４】
補助アンテナのセル検出は通常のセル検出と同様に行われるが、検出されたセルが補助アンテナのスクランブルコードであった場合、セルリセレクション（待ち受け中）やセル追加（通信中）の対象とはしない。
【００４５】
また補助アンテナからの電波は図１のように非常に狭い範囲で送信されているため、携帯端末で該当補助アンテナのセル（スクランブルコード）を検出している時間は非常に短い（通過時の前後付近のみ）。そのため携帯端末３はセル検出できたタイミングからその補助アンテナの通過タイミングを認識することが可能となる。
【００４６】
携帯端末３は検出した複数の補助アンテナの通過タイミングと保有している補助アンテナ間の距離情報から現在の（補助アンテナ間での）移動速度を計算し、さらにそこから現在のドップラー周波数を算出することが可能である。また携帯端末３は算出した移動速度と通信用アンテナの位置情報より次の通信用アンテナの通過タイミングを算出し、算出した通過タイミングに達した時点でドップラー周波数分だけAFC動作（ドップラー周波数補正動作）を実行する。
【００４７】
これらの移動速度、ドップラー周波数、通信用アンテナの通過タイミング等の計算も状態監視部３５にて実施される。
【００４８】
状態監視部３５の動作を図３のフローチャートにて説明する。以下の動作は、状態監視部３５が記憶部に記憶されている制御プログラムを読み出し、この制御プログラムに基づいて動作を実行することで実現される。
【００４９】
状態監視部３５はデジタル信号処理部３２からの報知情報においてトンネル識別子を確認する（ステップＳ１）。トンネル識別子が”トンネル内”の場合、報知情報に付加されている、前述の補助アンテナの割り当てスクランブルコード情報、補助アンテナの設置間隔情報、通信用アンテナの位置情報などのデータを記憶部に格納してステップＳ２のトンネルモードに移行する。トンネルモード、通常モードの判定はデジタル信号処理部３２から報知情報が送信されてくる度に実施される。
【００５０】
トンネルモード状態では、デジタル信号処理部３２から送られるセル検出データの待機状態にあり、待機中に通信用アンテナの通過タイミングがある場合は、状態監視部３５は算出しているドップラー周波数分の周波数誤差情報をAFC部３３に送信する。
【００５１】
デジタル信号処理部３２よりセル検出データを受信した場合（ステップＳ４）、状態監視部３５は格納している補助アンテナのスクランブルコードから、検出されたセルのスクランブルコードの確認を行う（ステップＳ５）。検出されたセルが補助アンテナ用のスクランブルコードでなかった場合は再度セル検出データの待機状態（ステップＳ２）に移行し、補助アンテナであった場合は対応したスクランブルコードより補助アンテナの位置（順番）を確定する。
【００５２】
また前回の補助アンテナ検出結果があった場合（ステップＳ６）はその補助アンテナの番号（順番）と今回検出の補助アンテナの番号の差分に補助アンテナの設置間隔を掛け合わせることでアンテナ間距離を割り出し各アンテナ検出タイミングから移動速度及びドップラー周波数を算出する（ステップＳ７）。そして、通信用アンテナの位置情報より現在位置から次に通過する通信用アンテナまでの距離、また算出した移動速度から通信用アンテナの通過タイミングを決定し、決定した通過タイミングに達する（ステップＳ３）とドップラー周波数分のAFC動作を実行する（ステップＳ８）。トンネル内にある間は補助アンテナを通過する度に上記の動作が繰り返され、通信用アンテナを通過する際にドップラー周波数補正動作が実行される。
【００５３】
なお、トンネル入り口に最も近い最初の通信用アンテナについては、トンネル外の基地局との間で通信可能な状態にあるので、上記のドップラー周波数分のAFC動作を実行する必要は無い。
【００５４】
以上のように、高速走行状態にて通信用アンテナ直下を通過する際のドップラー周波数の正負反転により発生する周波数変動に対して、本発明では携帯端末側で予め現象発生（アンテナ通過）のタイミングと現象発生時の周波数変動量を推定することが可能であり、図４に示すようにアンテナ通過のタイミングで一気に周波数補正を実施することで可能である。それにより従来のAFC制御で発生していた周波数補正の追従区間（時間）での受信電界（受信品質）の劣化を回避することが可能となる。
【００５５】
本発明を好ましい実施形態について説明したが、本発明は上記の実施形態に限定されるものでは無く、以下のような例が考えられる。
【００５６】
１．検出パス数をトンネルモード移行の条件とする。
【００５７】
通信用アンテナ直下を通過する際に発生するドップラー周波数反転の影響は、一般的に直接波が優勢な環境（１パス状態）にて著しく、散乱波が多数存在するようなマルチパス環境下では、散乱波によるフェージングの影響により直接波のドップラー周波数反転による周波数変動が全体の周波数変動に影響しない状態となる。
【００５８】
そのような場合、トンネル内の通信用アンテナ直下を通過時でも通常のAFCにて周波数補正が可能となるため、たとえ報知情報のトンネル識別子が”トンネル内“であってもトンネルモードに移行する必要が無い。そこで、トンネルモード移行の条件としてトンネル識別子の他に携帯端末３にて検出している有効パス数を加えることにより、有効パス数があらかじめ決められた閾値以上か未満かで携帯端末３が置かれている環境がマルチパス状態か直接波優勢の環境かを見極め、有効パス数があらかじめ決められた閾値以上であればトンネル識別子が検出されてもトンネルモードに移行せず、直接波優勢、つまり有効パス数があらかじめ決められた閾値未満の場合にトンネルモードを起動するようにしても良い。
【００５９】
２．携帯端末３の移動速度をトンネルモード移行条件とする。
【００６０】
携帯端末３が影響を受けるドップラー周波数は移動速度に依存しているため、移動速度が速ければそのドップラー周波数もより大きくなる。逆に、携帯端末３の移動速度が遅い場合はドップラー周波数による周波数のずれはさほど大きくないため、通信用アンテナ直下でのドップラー周波数の正負反転の現象があったとしても通常のAFC制御でも十分対応が可能である。つまり、周波数ずれによるレベル劣化の時間が短いため呼損（切断）等にまでには至らない。
【００６１】
そのため携帯端末３にてトンネルモード移行条件に報知情報のトンネル識別子以外に移動速度閾値を設定することで、より本問題の環境に適したモード移行が可能となる。
【００６２】
トンネルモード移行条件の例としては、以下のようになる。
【００６３】
トンネル識別子：あり、及び移動速度：閾値以上でトンネルモードに移行。
【００６４】
トンネル識別子：あり、及び移動速度：閾値未満でトンネルモードに移行せず。
【産業上の利用可能性】
【００６５】
本発明は、WCDMA無線システム及び携帯端末を利用可能な運行システム全般に適用可能であり、新幹線のような鉄道車両に限らず、トンネル内を高速で走行する可能性のある車両全般に適用可能である。
【図面の簡単な説明】
【００６６】
【図１】図１は、本発明を実施するために、新幹線のような高速移動車両のトンネル内に設置されるアンテナの設置形態を示す。
【図２】図２は、本発明において使用される携帯端末の主要構成について説明するためのブロック図である。
【図３】図３は、本発明による、トンネル内でのドップラー周波数補正動作を説明するためのフローチャートである。
【図４】図４は、従来のAFC動作と、本発明によるドップラー周波数補正動作による周波数追従性について比較するための特性図である。
【符号の説明】
【００６７】
３    携帯端末
１１、１２    通信用アンテナ
２１、２２、２３    補助アンテナ
【図１】
2008219541.tif 000003
【図２】
2008219541.tif 000004
【図３】
2008219541.tif 000005
【図４】
2008219541.tif 000006